(57)【要約】      （修正有） 【課題】複数の照明装置を用いず、ひとつの照明装置にて複数の異なる色調、配光角及び複数方向へ光源を備え、輝度コントロールを可能とする多色、多方向軸同時発光の照明装置を提供する。【解決手段】光源ユニット４等を直線状に配置して光源ユニットを構成し、局所照明の為にクールホワイト系白色高輝度ＬＥＤ１を光学レンズ２の配光特性に合わせた距離に直線状に２個配置する。ＭＣ−ＰＣＢ３上に開けられた開口部はこの光源ユニットと対向して取り付けられる上方空間照明用光源ユニットの光学レンズ２の為の開口部である。同様に他の光源ユニットを空間照明の為にウォームホワイト系高輝度白色ＬＥＤを光学レンズの配光特性に合わせた距離に、ＭＣ−ＰＣＢ３の対向面に配置した別のＭＣ−ＰＣＢ上に直線状に３個配置する。また、この別のＭＣ−ＰＣＢ上に開けられた開口部はこの光源ユニットと対向して取り付けられる下方局所照明用光源ユニットの光学レンズ２の為の開口部とする。【選択図】図１
0003152908.tif 000002
【実用新案登録請求の範囲】
【請求項１】
ＬＥＤユニット上の発光部は高輝度ＬＥＤを使用し、その高輝度ＬＥＤ発光方向軸が上下、左右、前後等となるよう配列し、各発光方向軸に実装された高輝度ＬＥＤ群が同時に点燈する多色、多方向軸同時発光の室内照明装置。
【請求項２】
ひとつの発光方向軸に配列されるＬＥＤユニット上の高輝度ＬＥＤは同色調を用い、異なる発光方向軸にはそれぞれ異なった色調の高輝度ＬＥＤを配置した事を特徴とする請求項１に記載の多色、多方向軸同時発光の室内照明装置。
【請求項３】
各発光方向軸毎に異なった光学レンズを備えた事を特徴とする請求項１に記載の多  色、多方向軸同時発光の室内照明装置。
【請求項４】
各発光方向軸に配列されたＬＥＤユニットは、それぞれ個別に輝度制御可能なコントロール装置を備えた事を特徴とする請求項１に記載の多色、多方向軸同時発光の室内照明装置。
【考案の詳細な説明】
【技術分野】
【０００１】
本考案は高輝度ＬＥＤを使用し複数の方向に夫々異なる色調の光を放射することにより、局所的な照明及び空間的な照明を同時に行う事が出来る照明装置である。
【背景技術】
【０００２】
例として室内、店舗等に於いて対象物を効果的に照らす局所的な照明灯等を使用する場合、同一域内に於いて空間照明の為の照明器具等も含め同時に多数使用されている。それぞれの照明は個別に設置され、多くの空間スペースを占有している。またそれぞれの照明器具の制御は設置場所が異なり、簡易に照度調整は行いにくい。
また、必要以上の空間を必要以上の光量で照らすことにより無駄な電力消費を必要としている。
【先行技術文献】
【特許文献】
【０００３】
【特許文献１】特開２００６−２４４８８１
【特許文献２】特開２００７−２２０４６５
【特許文献３】特開２００９−０４３６８６
【考案の概要】
【考案が解決しようとする課題】
【０００４】
特開２００６−２４４８８１は装飾体照明装置であり、空間を照明するものではない。特開２００７−２２０４６５は空間ＬＥＤ照明灯具ではあるが複数の色調での同時照明は行えない。且つ又光学レンズの変更は容易には行えない。
特開２００９−０４３６８６は自動販売機という限られた範囲での照明用途であり部屋空間を照明する物ではない。またＬＥＤ素子は一枚の基板上に全て実装されており、複数色発光は可能であるが、色調、配光角の変更は容易ではない。
【課題を解決するための手段】
【０００５】
本考案は光源にそれぞれ異なる色調の高輝度ＬＥＤを実装したＬＥＤユニット、且光学レンズを組み合わせ高輝度ＬＥＤから発光される光の配光角を目的に応じ設定することが可能な光源ユニットを作成する。この光源ユニットを複数組み合わせてひとつのランプユニットを構成する。また光源の輝度はＬＥＤユニット単位で制御可能とし前述の課題を解決することを目的とする。
【考案の効果】
【０００６】
本考案により、目的物を照らす特定方向への光、及び空間を照らす光の色調、配光角を容易に組み合わせることが出来、由ってより適した色調、照度での直接照明、間接照明等が同時に一つのランプユニットにて可能となり効率的な光空間を作ることが可能となる。また高効率な高輝度ＬＥＤを用いること、及び光量も簡易に制御可能となり,より効率的な低消費電力効果も期待できる。
【図面の簡単な説明】
【０００７】
【図１】本考案の実施形態１のランプユニット示す斜視図である。
【図２】実施形態１のランプユニットの正面図である。
【図３】実施形態１の図２におけるＡ−Ａ‘断面図である。
【図４】実施形態１の光源ユニットＡの正面図を示す。
【図５】実施形態１の光源ユニットＡの下面図を示す。
【図６】実施形態１の光源ユニットＢの上面図を示す。
【図７】実施形態１の光源ユニットＢの正面図を示す。
【図８】実施形態１のＬＥＤユニットＡの正面図を示す。
【図９】実施形態１のＬＥＤユニットＡの下面図を示す。
【図１０】実施形態１のＬＥＤユニットＢの上面図を示す。
【図１１】実施形態１のＬＥＤユニットＢの正面図を示す。
【図１２】実施形態２のランプユニットの上面図を示す。
【図１３】実施形態２のランプユニットの正面図を示す。
【図１４】コントロールユニット概観図を示す。
【考案を実施するための形態】
【０００８】
高輝度ＬＥＤをプリント基板上に実装したＬＥＤユニットを作成する。このＬＥＤユニットに光学レンズを装着した光源ユニットを作成する。この光源ユニットを複数組み合わせてランプユニットとする。
このようにそれぞれをユニット化し、これらユニットを組み合わせる事により、必要とされる色調、配光角を持った光源ユニットが構成できる。色調（色度、色温度）の選択はＬＥＤユニットに実装される高輝度ＬＥＤにて決定される。高輝度ＬＥＤはアルミニューム等の金属基板上にプリント回路が作成されたプリント回路基板（以下、ＭＣ−ＰＣＢとする）に放熱目的のため実装される。ＭＣ−ＰＣＢの形状は複数個の高輝度ＬＥＤを直線状に配置する為の図５に示す直線形状のもの、図１２，１３に示す半円形状のもの、或いは複雑な曲線上に配置する為の高輝度ＬＥＤ個別実装タイプを用いる。配光角の選択、交換は光源ユニットに装着される光学レンズにより決定される。ランプユニットは組み合わされる光源ユニットの発光方向軸により、上下或いは左右等2方向への異なる色調、配光角での照明、また上、下、後方（前方）など多発光方向軸へ異なる色調、配光角での照明が可能となる。
ランプユニットの輝度コントロールは図14に示す。
本ランプユニットの輝度コントロールは定電流電源のパルス幅変調（以下、ＰＷＭとする）を以って行う。
【実施例】
【０００９】
本考案の実施例１は添付図面１〜１１に示すよう直線状に光源ユニットを構成したランプユニットである。以下このランプユニット例に基づき説明する。
光源ユニットＡ図４、５は局所照明の為にクールホワイト系白色高輝度ＬＥＤ１Ａを光学レンズ２Ａの配光特性に合わせた距離に直線状に２個配置する。ＭＣ−ＰＣＢＡ上に開けられた開口部５Ａはこの光源ユニットＡと対向して取り付けられる上方空間照明用光源ユニットＢの光学レンズ２Ｂの為の開口部である。
同様に光源ユニットＢ図６，７は空間照明の為にウォームホワイト系高輝度白色ＬＥＤ１Ｂを光学レンズの配光特性に合わせた距離に直線状に３個配置する。ＭＣ−ＰＣＢＢ上に開けられた開口部５Ｂはこの光源ユニットＢと対向して取り付けられる下方局所照明用光源ユニットＡの光学レンズ２Ａの為の開口部である。
他応用例では高輝度ＬＥＤの色調は白色とは限られず適宜に決定される。
【００１０】
本考案の実施例２は図１２，１３に示すよう曲線状に光源ユニットを構成したランプユニットである。
【００１１】
本考案の実施例３は図には記していないが同様に発光方向軸を3方向、或いは発光方向軸を多方向に配列した照明装置。
【００１２】
本考案の輝度コントロールを図１４にて説明する。
本14図は上下、或いは左右の2発光方向軸ランプユニットコントロールユニットである。電源供給コネクター９には本ランプユニットにて使用されている高輝度ＬＥＤ１に適した直流電圧が外部電源装置から供給される。このコントロールユニット内には定電流回路、ＰＷＭ回路を有する。輝度は輝度コントロールスイッチ８により消灯も含め8段階での可変となる。この輝度コントロールスイッチ８は発光方向軸に使用されるＬＥＤユニット数と同数となる。
【符号の説明】
【００１３】
１  高輝度ＬＥＤ
２  光学レンズ
３  ＭＣ−ＰＣＢ
４  電源コネクター
５  開口部
６  プリント回路
７  コントロールユニット電源スイッチ
８  輝度コントロールスイッチ
９  電源供給コネクター
【図１】
0003152908.tif 000003
【図２】
0003152908.tif 000004
【図３】
0003152908.tif 000005
【図４】
0003152908.tif 000006
【図５】
0003152908.tif 000007
【図６】
0003152908.tif 000008
【図７】
0003152908.tif 000009
【図８】
0003152908.tif 000010
【図９】
0003152908.tif 000011
【図１０】
0003152908.tif 000012
【図１１】
0003152908.tif 000013
【図１２】
0003152908.tif 000014
【図１３】
0003152908.tif 000015
【図１４】
0003152908.tif 000016
【手続補正書】
【提出日】平成21年6月17日(2009.6.17)
【手続補正１】
【補正対象書類名】実用新案登録請求の範囲
【補正対象項目名】請求項１
【補正方法】変更
【補正の内容】
【請求項１】
ＬＥＤユニット上の発光部は高輝度ＬＥＤを使用し、その高輝度ＬＥＤ発光方向軸が上下、左右又は前後となるよう配列し、各発光方向軸に実装された高輝度ＬＥＤ群が同時に点燈する多色、多方向軸同時発光の室内照明装置。